【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
１）１組のエントリーの表示を生成するステップであって、前記表示は１組のエントリーを含み、各エントリーは１組のデータフィールドおよび少なくとも前記エントリーのうちの１つに関連付けられた注目点を有し、１組の前記エントリーは前記表示に組み込まれ、各前記エントリーは前記エントリーに関連付けられた少なくとも１つのデータフィールドに応答する前記表示に組み込まれ、前記データフィールドは画像表示を有しているステップと、
２）前記エントリーのうちの１つを、注目しているエントリーとして指定するステップと、
３）それぞれが関連付けられた１組のデータフィールドを有する少なくとも若干の組のエントリーを表示するステップであって、前記表示ステップの結果は、（ａ）前記若干のエントリーの多次元直線状配列における相対的配置と、（ｂ）前記若干のエントリーに対する、少なくとも若干の前記データフィールドに応じた、少なくとも１つのグラフィック要素の選択とを含んでいるステップと、
４）前記多次元直線状配列における少なくとも若干の前記エントリーを表示装置に表示するステップであって、
前記多次元直線状配列における前記相対的配置は、前記若干のエントリーの対の間のコンテンツ距離の指標に応答し、前記コンテンツ距離の指標は、前記データフィールド内の複数の値の類似性の指標に応答するようになっていて、
前記多次元直線状配列における要素は、比較的小さいコンテンツ距離に応答して、注目しているエントリーに近接して配置されるステップと、
５）ユーザーが、前記多次元直線状配列内で操作して実質的に全ての要素のためのグラフィック要素をその中に表示することを許容するステップと、
６）刺激に応答して、前記多次元直線状配列内の少なくとも若干の要素を再配列するステップであって、前記要素の相対的な配置が前記表示装置を変化させるステップとを含む方法。
【請求項２】
（ａ）前記若干のデータフィールドに対する値、または、（ｂ）論理的にリモートなソースから検索された値のうちの少なくとも１つに応じて、前記グラフィック要素をダイナミックに生成するステップを含む、請求項１に記載の方法。
【請求項３】
前記グラフィック要素が、前記データフィールドのうちの１つからの少なくとも１つの値を含み、
前記少なくとも１つの値が、（ａ）その関連付けられたエントリーのユーザーに対する画像表示、または、（ｂ）その関連付けられたエントリーのユーザーに対する見出し表示のうち少なくとも１つを含む、請求項１に記載の方法。
【請求項４】
前記少なくとも１つのグラフィック要素が、メディアストリームに関連付けられた映画ポスターに応答し、
さらに、前記内容距離の指標が、前記映画ポスターの視覚特性に応答する、請求項１に記載の方法。
【請求項５】
前記少なくとも１つのグラフィック要素が、メディアストリームに関連付けられた映画ポスターに応答し、
さらに、前記内容距離の指標が、前記メディアストリームに関連付けられた、タイトル、ジャンル、少なくとも１人の俳優、少なくとも１つのキャラクタ、シリーズ、監督、製作者、スタジオ、製作年またはリメイク年、格付け、または１組の賞のうちの少なくとも１つに応答する、請求項１に記載の方法。
【請求項６】
前記少なくとも１つのグラフィック要素が、メディアストリームに関連付けられた映画ポスターに応答し、
さらに、前記内容距離の指標が、前記映画ポスターの、
前記映画ポスターが、アブストラクトか、一場面を表示すものであるか否か、
前記映画ポスターが、選択された俳優を表示しているか否か、
前記映画ポスターが、主として画像であるか、テキストであるか、または、前記映画ポスターに関連付けられた、明るさ、色合い、または彩度の合集であるか、
の各特性のうちの少なくとも１つに応答する、請求項１に記載の方法。
【請求項７】
前記少なくとも１つのグラフィック要素が前記データフィールドの第１の組の内の値に応答し、
前記内容距離の指標が前記データフィールドの第２の組内の値に応答し、
さらに、前記第１の組および第２の組が実質的に分離している、請求項１に記載の方法。
【請求項８】
前記内容距離の指標が、１組の前記データフィールド内の値に応答し、
前記値が、ユーザーの好みのインジケータに応じて重み付けされる、請求項１に記載の方法。
【請求項９】
前記内容距離の指標が、１組の前記データフィールド内の値に応答し、
前記値が、ユーザーの好みの、
明白に選択された相対的重み付け値、
１組のユーザー入力またはリクエストに応答して自動的に選択された相対的重み付け値、
前記ユーザーついての１組の人口学的情報の組、あるいは、
１組の協調フィルタリング情報のインジケータのうちの少なくとも１つに応じて重み付けされる、請求項１に記載の方法。
【請求項１０】
表示距離の指標が、前記若干のエントリーの相対的配置に応答し、
さらに、前記内容距離の指標が、前記表示距離の指標と正の相関関係にある、請求項１に記載の方法。
【請求項１１】
前記内容距離の指標が相対的に小さいとき、前記若干のエントリーの前記相対的配置がエントリーの対に相対的に近く、
さらに、前記内容距離の指標が相対的に大きいとき、前記若干のエントリーの前記相対的配置がエントリーの対に相対的に遠い、請求項１に記載の方法。
【請求項１２】
前記表示ステップの結果が、少なくとも１つの注目しているエントリーを含む、請求項１に記載の方法。
【請求項１３】
前記少なくとも１つの注目しているエントリーの選択に応じて、前記表示をダイナミックに変更するステップを含み、
前記変更ステップの結果が、（ａ）前記少なくとも１つの注目しているエントリーからの前記内容距離の指標、または、（ｂ）擬似ランダムまたはランダム結果の少なくとも１つに応じる、新規の前記相対的配置を含んでいる、請求項１２に記載の方法。
【請求項１４】
引き金となる事象に応じて、前記表示をダイナミックに変更するステップを含み、前記引き金となる事象が、（ａ）前記ダイナミックに変更するステップを求めるリクエスト、（ｂ）新規の注目しているエントリーの選択、（ｃ）１組の新規データの入来、（ｄ）選択された心理学的に好ましい持続時間の経過、または、（ｅ）擬似ランダムまたはランダム結果の少なくとも１つを含んでいる、請求項１２に記載の方法。
【請求項１５】
前記表示ステップの結果が、前記注目しているエントリーに関する１組の補助情報を表示する画面領域を含んでいる、請求項１２に記載の方法。
【請求項１６】
前記表示ステップの結果が、ユーザーのアクションに応じて、前記注目しているエントリーに関する前記補助情報を越える、１組の情報を表示する画面領域を含んでいる、請求項１２に記載の方法。
【請求項１７】
前記表示ステップの結果が、相対的に強調された１つ以上の前記エントリーを含む、請求項１２に記載の方法。
【請求項１８】
相対的に強調された前記エントリーに対する強調の度合いが、前記少なくとも１つの注目しているエントリーからの前記内容距離の指標に応答する、請求項１７に記載の方法。
【請求項１９】
相対的に強調された前記エントリーの選択が、前記少なくとも１つの注目しているエントリーからの前記内容距離の指標に応答する、請求項１７に記載の方法。
【請求項２０】
前記相対的強調が、第１のタイプおよび第２のタイプの強調を含んでおり、
前記少なくとも１つの注目しているエントリーからの前記内容距離の指標に応答して、前記相対的に強調された前記エントリーが、前記第１のタイプの強調を有し、
さらに、前記注目しているエントリーが前記第２のタイプの強調を有している、請求項１７に記載の方法。